(57)【要約】本開示は、情報多重伝送方法及び装置、情報受信方法及び装置、ユーザ設備、基地局、及びコンピュータ読み取り可能な記憶媒体に関する。情報多重伝送方法は、１つの物理アップリンク制御チャネルＰＵＣＣＨと複数の物理アップリンク共有チャネルＰＵＳＣＨとが時間領域内にオーバーラップする部分がある場合に、選択基準に従って、ＰＵＣＣＨに搬送されているアップリンク制御情報ＵＣＩを多重伝送するＰＵＳＣＨを選択することと、選択されたＰＵＳＣＨを用いてＵＣＩと選択されたＰＵＳＣＨの伝送コンテンツを多重伝送することと、を含む。本開示の実施例によれば、１つの物理アップリンク制御チャネルＰＵＣＣＨと複数の物理アップリンク共有チャネルＰＵＳＣＨとが時間領域内にオーバーラップする部分がある場合に、適切なＰＵＳＣＨを選択して多重伝送することができる。【選択図】図１
2021523630.tif 000002
【特許請求の範囲】
【請求項１】
ユーザ設備（ＵＥ）に適用される情報多重伝送方法であって、
１つの物理アップリンク制御チャネル（ＰＵＣＣＨ）と複数の物理アップリンク共有チャネル（ＰＵＳＣＨ）とは時間領域内にオーバーラップする部分がある場合に、選択基準に従って、前記ＰＵＣＣＨに搬送されているアップリンク制御情報（ＵＣＩ）を多重伝送するＰＵＳＣＨを選択することと、
選択されたＰＵＳＣＨを用いて前記ＵＣＩと選択されたＰＵＳＣＨの伝送コンテンツを多重伝送することと、
を含むことを特徴とする情報多重伝送方法。
【請求項２】
前記選択基準に従って、前記ＰＵＣＣＨに搬送されているアップリンク制御情報（ＵＣＩ）を多重伝送するＰＵＳＣＨを選択することは、
前記ＵＣＩを多重伝送するＰＵＳＣＨとして、時間領域の開始位置または終了位置が最も前にあるＰＵＳＣＨを用いることを含む、
ことを特徴とする請求項１に記載の方法。
【請求項３】
前記選択基準に従って、前記ＰＵＣＣＨに搬送されているアップリンク制御情報（ＵＣＩ）を多重伝送するＰＵＳＣＨを選択することは、
前記複数のＰＵＳＣＨのうちの１つがダウンリンク・ダイナミック・スケジューリングに基づいてアップリンク伝送を実施し、もう１つのＰＵＳＣＨがコンフィグレーションに基づいてアップリンク伝送を実施する場合、前記ＵＣＩを多重伝送するＰＵＳＣＨとして、ダウンリンク・ダイナミック・スケジューリングに基づいてアップリンク伝送を実施するＰＵＳＣＨを用いることを含む、
ことを特徴とする、請求項１に記載の方法。
【請求項４】
前記選択基準に従って、前記ＰＵＣＣＨに搬送されているアップリンク制御情報（ＵＣＩ）を多重伝送するＰＵＳＣＨを選択することは、
前記ＵＣＩを多重伝送するＰＵＳＣＨとして、前記ＰＵＣＣＨとオーバーラップする時間領域シンボルの数が最も多いＰＵＳＣＨを選択することを含む、
ことを特徴とする請求項１に記載の方法。
【請求項５】
前記選択基準に従って、前記ＰＵＣＣＨに搬送されているアップリンク制御情報（ＵＣＩ）を多重伝送するＰＵＳＣＨを選択することは、
前記ＵＣＩを多重伝送するＰＵＳＣＨとして、時間周波数リソース内で最も多くのリソース単位を占めるＰＵＳＣＨを選択することを含む、
ことを特徴とする請求項１に記載の方法。
【請求項６】
前記選択基準に従って、前記ＰＵＣＣＨに搬送されているアップリンク制御情報（ＵＣＩ）を多重伝送するＰＵＳＣＨを選択することは、
前記ＵＣＩのタイプと事前に保存されたＵＣＩのタイプと異なる選択基準との対応関係に基づいて、対応する選択基準を決定することと、
前記ＵＣＩを多重伝送するＰＵＳＣＨとして、決定された選択基準に従ってＰＵＳＣＨを選択することと、を含む
ことを特徴とする、請求項１に記載の方法。
【請求項７】
基地局から送信された前記選択基準または前記ＵＣＩのタイプと異なる選択基準との間の対応関係を受信すること、または、
前記選択基準、または前記ＵＣＩのタイプと前記異なる選択基準との間の対応関係を、前記基地局と取り決めること、を更に含む
ことを特徴とする、請求項１〜６のいずれか１項に記載の方法。
【請求項８】
基地局に適用される情報受信方法であって、
複数の物理アップリンク共有チャネル（ＰＵＳＣＨ）による伝送を受信することと、
選択基準に従って、アップリンク制御情報（ＵＣＩ）を多重伝送するＰＵＳＣＨを決定することと、
決定されたＰＵＳＣＨから前記ＵＣＩを受信することと、
を含むことを特徴とする情報受信方法。
【請求項９】
前記方法は、
選択基準を決定し、前記選択基準をユーザ設備（ＵＥ）に送信すること、または、
ＵＣＩのタイプと異なる選択基準との対応関係を決定し、ＵＣＩのタイプと異なる選択基準との対応関係をユーザ設備（ＵＥ）に送信すること、または、
前記選択基準、または前記ＵＣＩのタイプと異なる選択基準との対応関係をＵＥと取り決めること、を更に含む
ことを特徴とする請求項８に記載の方法。
【請求項１０】
ユーザ設備（ＵＥ）に適用される情報多重伝送装置であって、
１つの物理アップリンク制御チャネル（ＰＵＣＣＨ）と複数の物理アップリンク共有チャネル（ＰＵＳＣＨ）とは時間領域内にオーバーラップする部分がある場合に、選択基準に従って、前記ＰＵＣＣＨに搬送されているアップリンク制御情報（ＵＣＩ）を多重伝送するＰＵＳＣＨを選択するように構成される選択モジュールと、
前記選択モジュールが選択したＰＵＳＣＨを用いて前記ＵＣＩと選択されたＰＵＳＣＨの伝送コンテンツを多重伝送するように構成される伝送モジュールと、
を備えることを特徴とする情報多重伝送装置。
【請求項１１】
前記選択モジュールは、
前記ＵＣＩを多重伝送するＰＵＳＣＨとして、時間領域の開始位置または終了位置が最も前にあるＰＵＳＣＨを用いるように構成される第１の選択サブモジュールを備える
ことを特徴とする請求項１０に記載の装置。
【請求項１２】
前記選択モジュールは、
前記複数のＰＵＳＣＨのうちの１つがダウンリンク・ダイナミック・スケジューリングに基づいてアップリンク伝送を実施し、もう１つのＰＵＳＣＨがコンフィグレーションに基づいてアップリンク伝送を実施する場合、前記ＵＣＩを多重伝送するＰＵＳＣＨとして、ダウンリンク・ダイナミック・スケジューリングに基づいてアップリンク伝送を実施するＰＵＳＣＨを用いるように構成される第２の選択サブモジュールを備える
ことを特徴とする請求項１０に記載の装置。
【請求項１３】
前記選択モジュールは、
前記ＵＣＩを多重伝送するＰＵＳＣＨとして、前記ＰＵＣＣＨとオーバーラップする時間領域シンボルの数が最も多いＰＵＳＣＨを選択するように構成される第３の選択サブモジュールを備える
ことを特徴とする、請求項１０に記載の装置。
【請求項１４】
前記選択モジュールは、
前記ＵＣＩを多重伝送するＰＵＳＣＨとして、時間周波数リソース内で最も多くのリソース単位を占めるＰＵＳＣＨを選択するように構成される第４の選択サブモジュールを備える
ことを特徴とする請求項１０に記載の装置。
【請求項１５】
前記選択モジュールは、
前記ＵＣＩのタイプと事前に保存されたＵＣＩのタイプと異なる選択基準との対応関係に基づいて、対応する選択基準を決定するように構成される決定サブモジュールと、
前記ＵＣＩを多重伝送するＰＵＳＣＨとして、前記決定サブモジュールが決定した選択基準に従ってＰＵＳＣＨを選択するように構成された第５の選択サブモジュールと、を備える
ことを特徴とする、請求項１０に記載の装置。
【請求項１６】
前記装置は、
基地局から送信された前記選択基準または前記ＵＣＩのタイプと異なる選択基準との間の対応関係を受信するように構成される受信モジュール、または、
前記選択基準、または前記ＵＣＩのタイプと異なる選択基準との間の対応関係を、前記基地局と取り決めるように構成される取り決めモジュール、を更に備える
ことを特徴とする請求項１０〜１５のいずれか１項に記載の装置。
【請求項１７】
基地局に適用される情報受信装置であって、
複数の物理アップリンク共有チャネル（ＰＵＳＣＨ）による伝送を受信するように構成される第１の受信モジュールと、
選択基準に従って、前記第１の受信モジュールが受信した複数のＰＵＳＣＨから、アップリンク制御情報（ＵＣＩ）を多重伝送するＰＵＳＣＨを決定するように構成される決定モジュールと、
前記決定モジュールが決定したＰＵＳＣＨから前記ＵＣＩを受信するように構成される第２の受信モジュールと、を備える
ことを特徴とする情報受信装置。
【請求項１８】
前記装置は、
選択基準を決定し、前記選択基準をユーザ設備（ＵＥ）に送信するように構成される第１の決定送信モジュール、または、
ＵＣＩのタイプと異なる選択基準との対応関係を決定し、ＵＣＩのタイプと異なる選択基準との対応関係をユーザ設備（ＵＥ）に送信するように構成される第２の決定送信モジュール、または、
前記選択基準、または前記ＵＣＩのタイプと異なる選択基準との対応関係をＵＥと取り決めるように構成される取り決めモジュール、を更に備える
ことを特徴とする、請求項１７に記載の装置。
【請求項１９】
プロセッサと、
プロセッサ実行可能な命令を格納するメモリとを備え、
前記プロセッサは、
１つの物理アップリンク制御チャネル（ＰＵＣＣＨ）と複数の物理アップリンク共有チャネル（ＰＵＳＣＨ）とは時間領域内にオーバーラップする部分がある場合に、選択基準に従って、前記ＰＵＣＣＨに搬送されているアップリンク制御情報（ＵＣＩ）を多重伝送するＰＵＳＣＨを選択し、
選択されたＰＵＳＣＨを用いて前記ＵＣＩと選択されたＰＵＳＣＨの伝送コンテンツを多重伝送するように構成される
ことを特徴とするユーザ設備。
【請求項２０】
プロセッサと、
プロセッサ実行可能な命令を格納するメモリとを備え、
前記プロセッサは、
複数の物理アップリンク共有チャネル（ＰＵＳＣＨ）による伝送を受信し、
選択基準に従って、アップリンク制御情報（ＵＣＩ）を多重伝送するＰＵＳＣＨを決定し、
決定されたＰＵＳＣＨから前記ＵＣＩを受信するように構成される
ことを特徴とする基地局。
【請求項２１】
コンピュータ命令が格納されているコンピュータ読み取り可能な記憶媒体であって、
前記命令がプロセッサにより実行される際に、請求項１〜７のいずれか１項に記載の情報多重伝送方法のステップを実現させる
ことを特徴とするコンピュータ読み取り可能な記憶媒体。
【請求項２２】
コンピュータ命令が格納されているコンピュータ読み取り可能な記憶媒体であって、
前記命令がプロセッサにより実行される際に、請求項８または請求項９に記載の情報受信方法のステップを実現させる
ことを特徴とするコンピュータ読み取り可能な記憶媒体。
【発明の詳細な説明】
【技術分野】
【０００１】
本開示は、通信技術の分野に関するものであり、特に、情報多重伝送方法および装置、情報受信方法および装置、ユーザ設備、基地局並びにコンピュータ読み取り可能な記憶媒体に関するものである。
【背景技術】
【０００２】
新世代の新たなインターネット応用の継続的な出現によって、無線通信技術に対する要求が高められ、応用のニーズを満たすために無線通信技術の進展が推進していく。現在、セルラー移動通信技術は、新世代技術の進化段階にある。新世代の移動通信システムでは、システムの要求を満たすアップリンク伝送をより一層良く設計することが重要な課題となっている。
【０００３】
新無線（Ｎｅｗ  Ｒａｄｉｏ、ＮＲと単に言う。）では、様々なサービスタイプに対応可能な柔軟な構成が必要である。サービスタイプによって、無線通信技術に対する要求が異なる。例えば、強化されたモバイルブロードバンド（ｅｎｈａｎｃｅｄ  Ｍｏｂｉｌｅ  Ｂｒｏａｄ  Ｂａｎｄ、ｅＭＢＢと単に言う。）サービスタイプでは、広帯域幅と高速が要求され、超高信頼低遅延通信（Ｕｌｔｒａ  Ｒｅｌｉａｂｌｅ  Ｌｏｗ  Ｌａｔｅｎｃｙ  Ｃｏｍｍｕｎｉｃａｔｉｏｎ、ＵＲＬＬＣと単に言う。）サービスタイプでは、高信頼性と低遅延が要求され、大規模マシンタイプコミュニケーション（ｍａｓｓｉｖｅ  Ｍａｃｈｉｎｅ  Ｔｙｐｅ  Ｃｏｍｍｕｎｉｃａｔｉｏｎ、ｍＭＴＣと単に言う。）サービスタイプは大きい接続数が要求されている。異なる業務質量ＱｏＳ要件の業務を同時にサポートするために、メディアアクセス制御（Ｍｅｄｉａ  Ａｃｃｅｓｓ  Ｃｏｎｔｒｏｌ、ＭＡＣと単に言う。）層で複数の論理チャネル（Ｌｏｇｉｃａｌ  Ｃｈａｎｎｅｌ、ＬＣＨと単に言う。）が定義されている。
【０００４】
アップリンク制御情報（ＵＣＩ）には、混合自動再送応答要求（Ｈｙｂｒｉｄ  Ａｕｔｏｍａｔｉｃ  Ｒｅｐｅａｔ  ｒｅＱｕｅｓｔ、ＨＡＲＱと単に言う。）指示と、スケジューリング要求（Ｓｃｈｅｄｕｌｉｎｇ  Ｒｅｑｕｅｓｔ、ＳＲと単に言う。）と、チャネルステータスインジケータ（Ｃｈａｎｎｅｌ  Ｓｔａｔｕｓ  Ｉｎｄｉｃａｔｏｒ、ＣＳＩと単に言う。）が含まれている。このうち、ＳＲでは、ユーザ設備（ＵＥ）が基地局に対してアップリンクリソーススケジューリングを要求する。ＮＲでは、複数の異なるＱｏＳ要求の業務をサポートするために、同一のＵＥは、それぞれが１つ以上のＬＣＨに対応する複数の異なるＳＲが配置されることができる。
【０００５】
アップリンク制御情報は、物理アップリンク制御チャネル（ＰＵＣＣＨ）を介して伝送することができる。また、ＰＵＣＣＨによるＨＡＲＱ指示及びＣＳＩの伝送と、物理アップリンク共有チャネル（ＰＵＳＣＨ）によるアップリンクデータの伝送とが時間領域内にオーバーラップする（開始シンボル位置が同じである）場合、ＵＥは、ＰＵＣＣＨによる伝送を放棄し、ＵＣＩ情報であるＨＡＲＱ指示及びＣＳＩをアップリンクデータと共にＰＵＳＣＨを介して送信することができる。これにより、アップリンク伝送のシングルキャリア特性が保証され、より良いピーク対平均電力比（Ｐｅａｋ  ｔｏ  Ａｖｅｒａｇｅ  Ｐｏｗｅｒ  Ｒａｔｉｏ、ＰＡＰＲと単に言う。）とより低い最大電力削減（Ｍａｘｉｍｕｍ  Ｐｏｗｅｒ  Ｒｅｄｕｃｔｉｏｎ、ＭＰＲと単に言う。）が得られる。
【０００６】
前回の無線アクセスネットワーク（ＲＡＮ）１の会議では、ＰＵＣＣＨとＰＵＳＣＨが時間領域内に部分的にしかオーバーラップしておらず、且つ開始シンボルが異なった場合には、両方が所定のタイミングの要求を満たす場合には、ＰＵＣＣＨとＰＵＳＣＨでも多重伝送することが決議された。既存の方式によれば、ＰＵＣＣＣＨとＰＵＳＣＨで多重伝送する場合、ＵＥはＰＵＣＣＨによる伝送を放棄し、ＰＵＣＣＨで伝送するＵＣＩをＰＵＳＣＨの伝送コンテンツと多重化してからＰＵＳＣＨで伝送することとなる。
【０００７】
しかしながら、１つのＰＵＣＣＨと複数の異なるＰＵＳＣＨが時間領域にオーバーラップする部分がある場合、どのように適切的なＰＵＳＣＨを選択して多重伝送するかは解決される課題になる。
【発明の概要】
【発明が解決しようとする課題】
【０００８】
これに鑑みて、本開示は、１つのＰＵＣＣＨと複数の異なるＰＵＳＣＨとは時間領域内にオーバーラップする部分がある場合に、適切なＰＵＳＣＨを選択して多重伝送をすることを可能にする情報多重伝送方法及び装置、情報受信方法及び装置、ユーザ設備、基地局並びにコンピュータ読み取り可能な記憶媒体を開示している。
【課題を解決するための手段】
【０００９】
本開示実施例の第１の方面によれば、ユーザ設備（ＵＥ）に適用される情報多重伝送方法を提供し、前記方法は、
１つの物理アップリンク制御チャネルＰＵＣＣＨと複数の物理アップリンク共有チャネルＰＵＳＣＨとは時間領域内にオーバーラップする部分がある場合に、選択基準に従って、前記ＰＵＣＣＨに搬送されているアップリンク制御情報ＵＣＩを多重伝送するＰＵＳＣＨを選択することと、
選択されたＰＵＳＣＨを用いて前記ＵＣＩと選択されたＰＵＳＣＨの伝送コンテンツを多重伝送することと、を含む。
【００１０】
一実施例では、前記選択基準に従って、前記ＰＵＣＣＨに搬送されているアップリンク制御情報ＵＣＩを多重伝送するＰＵＳＣＨを選択することは、
前記ＵＣＩを多重伝送するＰＵＳＣＨとして、時間領域の開始位置または終了位置が最も前にあるＰＵＳＣＨを用いることを含む。
【００１１】
一実施例では、前記選択基準に従って、前記ＰＵＣＣＨに搬送されているアップリンク制御情報ＵＣＩを多重伝送するＰＵＳＣＨを選択することは、
前記複数のＰＵＳＣＨのうちの１つがダウンリンク・ダイナミック・スケジューリングに基づいてアップリンク伝送を実施し、もう１つのＰＵＳＣＨがコンフィグレーションに基づいてアップリンク伝送を実施する場合、前記ＵＣＩを多重伝送するＰＵＳＣＨとして、ダウンリンク・ダイナミック・スケジューリングに基づいてアップリンク伝送を実施するＰＵＳＣＨを用いることを含む。
【００１２】
一実施例では、前記選択基準に従って、前記ＰＵＣＣＨに搬送されているアップリンク制御情報ＵＣＩを多重伝送するＰＵＳＣＨを選択することは、
前記ＵＣＩを多重伝送するＰＵＳＣＨとして、前記ＰＵＣＣＨとオーバーラップする時間領域シンボルの数が最も多いＰＵＳＣＨを選択することを含む。
【００１３】
一実施例では、前記選択基準に従って、前記ＰＵＣＣＨに搬送されているアップリンク制御情報ＵＣＩを多重伝送するＰＵＳＣＨを選択することは、
前記ＵＣＩを多重伝送するＰＵＳＣＨとして、時間周波数リソース内で最も多くのリソース単位を占めるＰＵＳＣＨを選択することを含む。
【００１４】
一実施例では、前記選択基準に従って、前記ＰＵＣＣＨに搬送されているアップリンク制御情報ＵＣＩを多重伝送するＰＵＳＣＨを選択することは、
前記ＵＣＩのタイプと事前に保存されたＵＣＩのタイプと異なる選択基準との対応関係に基づいて、対応する選択基準を決定することと、
前記ＵＣＩを多重伝送するＰＵＳＣＨとして、決定された選択基準に従ってＰＵＳＣＨを選択することと、を含む。
【００１５】
一実施例では、前記方法は、
基地局から送信された前記選択基準または前記ＵＣＩのタイプと異なる選択基準との間の対応関係を受信すること、または、
前記選択基準、または前記ＵＣＩのタイプと前記異なる選択基準との間の対応関係を、前記基地局と取り決めること、を更に含む。
【００１６】
本開示実施例の第２の方面によれば、基地局に適用される情報受信方法を提供し、前記方法は、
複数の物理アップリンク共有チャネルＰＵＳＣＨによる伝送を受信することと、
選択基準に従って、アップリンク制御情報ＵＣＩを多重伝送するＰＵＳＣＨを決定することと、
決定されたＰＵＳＣＨから前記ＵＣＩを受信することと、を含む。
【００１７】
一実施例では、前述方法は、
選択基準を決定し、前記選択基準をユーザ設備ＵＥに送信すること、または、
ＵＣＩのタイプと異なる選択基準との対応関係を決定し、ＵＣＩのタイプと異なる選択基準との対応関係をユーザ設備ＵＥに送信すること、または、
前記選択基準、または前記ＵＣＩのタイプと異なる選択基準との対応関係をＵＥと取り決めること、を更に含む。
【００１８】
本開示実施例の第３の方面によれば、ユーザ設備ＵＥに適用される情報多重伝送装置を提供し、前記装置は、
１つの物理アップリンク制御チャネルＰＵＣＣＨと複数の物理アップリンク共有チャネルＰＵＳＣＨとは時間領域内でオーバーラップする部分がある場合に、選択基準に従って、前記ＰＵＣＣＨに搬送されているアップリンク制御情報ＵＣＩを多重伝送するＰＵＳＣＨを選択するように構成される選択モジュールと、
前記選択モジュールが選択したＰＵＳＣＨを用いて前記ＵＣＩと選択されたＰＵＳＣＨの伝送コンテンツを多重伝送するように構成される伝送モジュールと、を備える。
【００１９】
一実施例では、前記選択モジュールは、
前記ＵＣＩを多重伝送するＰＵＳＣＨとして、時間領域の開始位置または終了位置が最も前にあるＰＵＳＣＨを用いるように構成される第１の選択サブモジュールを備える。
【００２０】
一実施例では、前記選択モジュールは、
前記複数のＰＵＳＣＨのうちの１つがダウンリンク・ダイナミック・スケジューリングに基づいてアップリンク伝送を実施し、もう１つのＰＵＳＣＨがコンフィグレーションに基づいてアップリンク伝送を実施する場合、前記ＵＣＩを多重伝送するＰＵＳＣＨとして、ダウンリンク・ダイナミック・スケジューリングに基づいてアップリンク伝送を実施するＰＵＳＣＨを用いるように構成される第２の選択サブモジュールを備える。
【００２１】
一実施例では、前記選択モジュールは、
前記ＵＣＩを多重伝送するＰＵＳＣＨとして、前記ＰＵＣＣＨとオーバーラップする時間領域シンボルの数が最も多いＰＵＳＣＨを選択するように構成される第３の選択サブモジュールを備える。
【００２２】
一実施例では、前記選択モジュールは、
前記ＵＣＩを多重伝送するＰＵＳＣＨとして、時間周波数リソース内で最も多くのリソース単位を占めるＰＵＳＣＨを選択するように構成される第４の選択サブモジュールを備える。
【００２３】
一実施例では、前記選択モジュールは、
前記ＵＣＩのタイプと事前に保存されたＵＣＩのタイプと異なる選択基準との対応関係に基づいて、対応する選択基準を決定するように構成される決定サブモジュールと、
前記ＵＣＩを多重伝送するＰＵＳＣＨとして、前記決定サブモジュールが決定した選択基準に従ってＰＵＳＣＨを選択するように構成された第５の選択サブモジュールと、を備える
一実施例では、本装置は、
基地局から送信された前記選択基準または前記ＵＣＩのタイプと異なる選択基準との間の対応関係を受信するように構成される受信モジュール、または、
前記選択基準、または前記ＵＣＩのタイプと異なる選択基準との間の対応関係を、前記基地局と取り決めるように構成される取り決めモジュール、を更に備える。
【００２４】
本開示実施例の第４の方面によれば、基地局に適用される情報受信装置を提供し、前記装置は、
複数の物理アップリンク共有チャネルＰＵＳＣＨによる伝送を受信するように構成される第１の受信モジュールと、
選択基準に従って、前記第１の受信モジュールが受信した複数のＰＵＳＣＨから、アップリンク制御情報ＵＣＩを多重伝送するＰＵＳＣＨを決定するように構成される決定モジュールと、
前記決定モジュールが決定したＰＵＳＣＨから前記ＵＣＩを受信するように構成される第２の受信モジュールと、を備える。
【００２５】
一実施例では、前記装置は、
選択基準を決定し、前記選択基準をユーザ設備ＵＥに送信するように構成される第１の決定送信モジュール、または、
ＵＣＩのタイプと異なる選択基準との対応関係を決定し、ＵＣＩのタイプと異なる選択基準との対応関係をユーザ設備ＵＥに送信するように構成される第２の決定送信モジュール、または、
前記選択基準、または前記ＵＣＩのタイプと異なる選択基準との対応関係をＵＥと取り決めるように構成される取り決めモジュール、を更に備える。
【００２６】
本開示実施例の第５の方面によれば、ユーザ設備を提供し、前記ユーザ設備は、
プロセッサと、
プロセッサ実行可能な命令を格納するメモリとを備え、
前記プロセッサは、
１つの物理アップリンク制御チャネル（ＰＵＣＣＨ）と複数の物理アップリンク共有チャネル（ＰＵＳＣＨ）とは時間領域内にオーバーラップする部分がある場合に、選択基準に従って、前記ＰＵＣＣＨに搬送されているアップリンク制御情報（ＵＣＩ）を多重伝送するＰＵＳＣＨを選択し、
選択されたＰＵＳＣＨを用いて前記ＵＣＩと選択されたＰＵＳＣＨの伝送コンテンツを多重伝送するように構成される。
【００２７】
本開示実施例の第６の方面によれば、基地局を提供し、前記基地局は、
プロセッサと、
プロセッサ実行可能な命令を格納するメモリとを備え、
前記プロセッサは、
複数の物理アップリンク共有チャネルＰＵＳＣＨによる伝送を受信し、
選択基準に従って、アップリンク制御情報ＵＣＩを多重伝送するＰＵＳＣＨを決定し、
決定されたＰＵＳＣＨから前記ＵＣＩを受信するように構成される。
【００２８】
本開示実施例の第７の方面によれば、コンピュータ読み取り可能な記憶媒体を提供し、コンピュータ命令が格納されているコンピュータ読み取り可能な記憶媒体であって、前記命令がプロセッサにより実行される際に、上記の情報多重伝送方法のステップを実現させる。
【００２９】
本開示実施例の第８の方面によれば、コンピュータ読み取り可能な記憶媒体を提供し、コンピュータ命令が格納されているコンピュータ読み取り可能な記憶媒体であって、前記命令がプロセッサにより実行される際に、上記の情報受信方法のステップを実現させる。
【発明の効果】
【００３０】
本開示実施例による発明は、以下の有益な効果を含むことができる。
【００３１】
１つの物理アップリンク制御チャネルＰＵＣＣＨと複数の物理アップリンク共有チャネルＰＵＳＣＨとは時間領域内にオーバーラップする部分がある場合に、選択基準に従って、ＰＵＣＣＨに搬送されているＵＣＩを多重伝送するＰＵＳＣＨを選択し、選択されたＰＵＳＣＨを用いてＵＣＩと選択されたＰＵＳＣＨの伝送コンテンツを多重伝送することによって、適切なＰＵＳＣＨを選択して多重伝送をすることが実現される。
【００３２】
複数のＰＵＳＣＨによる伝送を受信し、選択基準に従って、ＵＣＩを多重伝送するＰＵＳＣＨを決定し、決定されたＰＵＳＣＨからＵＣＩを受信することによって、ＵＣＩを受信することが実現される。
【００３３】
上記の一般的な説明および後述の詳細は、単に例示的で説明的なものであり、本開示を限定するものではないことが理解されるべきである。
【図面の簡単な説明】
【００３４】
【図１】本開示の一例示的な実施例による情報多重伝送方法のフローチャートである。
【図２Ａ】本開示の一例示的な実施例による１つのＰＵＣＣＨと複数のＰＵＳＣＨとは時間領域内にオーバーラップする部分があることを示す概略図１である。
【図２Ｂ】本開示の一例示的な実施例による選択されたＰＵＳＣＨでＵＣＩを多重伝送することを示す概略図１である。
【図３Ａ】本開示の一例示的な実施例による１つのＰＵＣＣＨと複数のＰＵＳＣＨとは時間領域内にオーバーラップする部分があることを示す概略図２である。
【図３Ｂ】本開示の一例示的な実施例による選択されたＰＵＳＣＨでＵＣＩを多重伝送することを示す概略図２である。
【図４Ａ】本開示の一例示的な実施例による１つのＰＵＣＣＨと複数のＰＵＳＣＨとは時間領域内にオーバーラップする部分があることを示す概略図３である。
【図４Ｂ】本開示の一例示的な実施例による選択されたＰＵＳＣＨでＵＣＩを多重伝送することを示す概略図３である。
【図５Ａ】本開示の一例示的な実施例による１つのＰＵＣＣＨと複数のＰＵＳＣＨとは時間領域内にオーバーラップする部分があることを示す概略図４である。
【図５Ｂ】本開示の一例示的な実施例による選択されたＰＵＳＣＨでＵＣＩを多重伝送することを示す概略図４である。
【図６Ａ】本開示の一例示的な実施例による１つのＰＵＣＣＨと複数のＰＵＳＣＨとは時間領域内にオーバーラップする部分があることを示す概略図５である。
【図６Ｂ】本開示の一例示的な実施例による選択されたＰＵＳＣＨでＵＣＩを多重伝送することを示す概略図５である。
【図７】本開示の一例示的な実施例による情報受信方法のフローチャートである。
【図８】本開示の一例示的な実施例による情報受信方法のシグナリング・フローチャートである。
【図９】一例示的な実施例による情報多重伝送装置のブロック図である。
【図１０】一例示的な実施例による別の情報多重伝送装置のブロック図である。
【図１１】一例示的な実施例による別の情報多重伝送装置のブロック図である。
【図１２】一例示的な実施例による別の情報多重伝送装置のブロック図である。
【図１３】一例示的な実施例による別の情報多重伝送装置のブロック図である。
【図１４】一例示的な実施例による別の情報多重伝送装置のブロック図である。
【図１５】一例示的な実施例による別の情報多重伝送装置のブロック図である。
【図１６】一例示的な実施例による情報受信装置のブロック図である。
【図１７】一例示的な実施例による別の情報受信装置のブロック図である。
【図１８】一例示的な実施例による情報多重伝送装置に適用するブロック図である。
【図１９】一例示的な実施例による情報受信装置に適用するブロック図である。
【発明を実施するための形態】
【００３５】
本明細書の図面は本明細書の一部として本明細書に組み込まれ、本発明に係る実施例を示し、本願明細書と共に本願発明の原理を説明するためのものである。
【００３６】
ここで、例示的な実施例を詳しく説明し、その例が添付図面に示されている。以下の図面に関する説明は、特に断りのない限り、異なる図面における同一数字は、同一または類似の要素を示す。以下の例示的な実施例に記載されている実施形態は、本発明と一致する実施形態全体を表すものではない。むしろ、それらは、添付の特許請求の範囲に詳細に記載されている本願発明のある方面と一致する装置および方法の例に過ぎない。
【００３７】
図１は本開示の一例示的な実施例による情報多重伝送方法のフローチャートであり、当該実施例はＵＥ側から説明されるものである。図１に示すように、該情報多重伝送方法は、
ステップＳ１０１において、１つの物理アップリンク制御チャネルＰＵＣＣＨと複数の物理アップリンク共有チャネルＰＵＳＣＨとは時間領域内にオーバーラップする部分がある場合に、選択基準に従って、ＰＵＣＣＨに搬送されているアップリンク制御情報ＵＣＩを多重伝送するＰＵＳＣＨを選択すること、を含む。
【００３８】
オプションとして、当該方法は更に、基地局から送信された選択基準を受信すること、または、該選択基準を基地局と取り決めることを含んでもよい。
【００３９】
ここで、選択基準に従って、ＰＵＣＣＨに搬送されているアップリンク制御情報ＵＣＩを多重伝送するＰＵＳＣＨを選択することは、以下のシナリオのいずれか１つを含んでもよいが、これに限定されない。
【００４０】
シナリオ１）：ＵＣＩを多重伝送するＰＵＳＣＨとして、時間領域の開始位置または終了位置が最も前にあるＰＵＳＣＨを用いる。
【００４１】
例えば、図２Ａに示すように、図２ＡにおけるＰＵＣＣＨ１がＵＣＩ１を搬送し、ＰＵＣＣＨ２がＵＣＩ２を搬送し、ＰＵＳＣＨ１がデータ（ｄａｔａ）１を搬送し、ＰＵＳＣＨ２がデータ（ｄａｔａ）２を搬送していることを想定する。ＰＵＳＣＨ１はＰＵＳＣＨ２よりも時間領域の開始位置が前にあるので、ＰＵＳＣＨ１を、ＵＣＩを多重伝送するＰＵＳＣＨとして選択する。ＰＵＣＣＨ１とＰＵＣＣＨ２は、いずれもＰＵＳＣＨ１でＵＣＩを多重伝送し、図２Ｂに示すように、ＰＵＳＣＨ１でＵＣＩ１、ＵＣＩ２及びｄａｔａ１を多重伝送することができる。
【００４２】
シナリオ２）：複数のＰＵＳＣＨのうちの１つがダウンリンク・ダイナミック・スケジューリング（ＤＬ  ｇｒａｎｔ）に基づいてアップリンク伝送を実施し、もう１つのＰＵＳＣＨがコンフィグレーション（ｃｏｎｆｉｇｕｒｅｄ  ｇｒａｎｔ）に基づいてアップリンク伝送を実施する場合、ＵＣＩを多重伝送するＰＵＳＣＨとして、ダウンリンク・ダイナミック・スケジューリングに基づいてアップリンク伝送を実施するＰＵＳＣＨを用いる。
【００４３】
例えば、図３Ａに示すように、図３ＡにおけるＰＵＣＣＨ１がＵＣＩ１を搬送し、ＰＵＣＣＨ２がＵＣＩ２を搬送し、ＰＵＳＣＨ１がデータ（ｄａｔａ）１を搬送し、ＰＵＳＣＨ２がデータ（ｄａｔａ）２を搬送していて、ＰＵＳＣＨ１がダウンリンク・データ・スケジューリング（ＤＬ  ｇｒａｎｔ）に基づいてアップリンク伝送を実施し、ＰＵＳＣＨ２がコンフィグレーションに基づいてアップリンク伝送を実施することを想定すると、ＰＵＳＣＨ１を、ＵＣＩを多重伝送するＰＵＳＣＨとして用い、ＰＵＣＣＨ１とＰＵＣＣＨ２は、いずれもＰＵＳＣＨ１を介してＵＣＩを多重伝送し、図３Ｂに示すように、ＰＵＳＣＨ１を介してＵＣＩ１、ＵＣＩ２及びｄａｔａ１を多重伝送することができる。
【００４４】
シナリオ３）：ＵＣＩを多重伝送するＰＵＳＣＨとして、ＰＵＣＣＨとオーバーラップする時間領域シンボルの数が最も多いＰＵＳＣＨを選択する。
【００４５】
例えば、図４Ａに示すように、図４ＡにおけるＰＵＣＣＨ１がＵＣＩ１を搬送し、ＰＵＣＣＨ２がＵＣＩ２を搬送し、ＰＵＳＣＨ１がデータ（ｄａｔａ）１を搬送し、ＰＵＳＣＨ２がデータ（ｄａｔａ）２を搬送していることを想定すると、ＰＵＣＣＨ１がＰＵＳＣＨ１とオーバーラップする時間領域シンボルの数が比較的に多くなるので、ＰＵＳＣＨ１上でＵＣＩ１とｄａｔａ１を多重伝送し、ＰＵＣＣＨ２がＰＵＳＣＨ２とオーバーラップする時間領域シンボルの数が比較的に多くなるので、ＰＵＳＣＨ２上でＵＣＩ２とｄａｔａ２を多重伝送し、図４Ｂに示すように、ＰＵＳＣＨ１上でＵＣＩ１とｄａｔａ１を多重伝送し、ＰＵＳＣＨ２上でＵＣＩ２とｄａｔａ２を多重伝送することができる。
【００４６】
シナリオ４）：ＵＣＩを多重伝送するＰＵＳＣＨとして、時間周波数リソース内で最も多くのリソース単位を占めるＰＵＳＣＨを選択する。
【００４７】
例えば、図５Ａに示すように、図５ＡにおけるＰＵＣＣＨ１がＵＣＩ１を搬送し、ＰＵＣＣＨ２がＵＣＩ２を搬送し、ＰＵＳＣＨ１がデータ（ｄａｔａ）１を搬送し、ＰＵＳＣＨ２がデータ（ｄａｔａ）２を搬送していることを想定する。ＰＵＳＣＨ１が時間周波数リソース内で比較的に多くのリソース単位を占めるので、ＰＵＳＣＨ１を、ＵＣＩを多重伝送するＰＵＳＣＨとして選択し、図５Ｂに示すように、ＰＵＳＣＨ１でＵＣＩ１、ＵＣＩ２およびｄａｔａ１を多重伝送することができる。
【００４８】
シナリオ５）：ＵＣＩのタイプと事前に保存されたＵＣＩのタイプと異なる選択基準との対応関係に基づいて、対応する選択基準を決定し、ＵＣＩを多重伝送するＰＵＳＣＨとして、決定された選択基準に従ってＰＵＳＣＨを選択する。
【００４９】
オプションとして、当該方法は、基地局から送信されたＵＣＩのタイプと異なる選択基準との間の対応関係を受信すること、または、ＵＣＩのタイプと異なる選択基準との間の対応関係を、基地局と取り決めること、を更に含んでもよい。
【００５０】
例えば、図６Ａに示すように、混合自動再送応答メッセージ（ＨＡＲＱＡｃｋｎｏｗｌｅｄｇｅｍｅｎｔ、ＨＡＲＱ-ＡＣＫと単に言う。）のフィードバックメッセージについては、時間領域の開始位置が最も前にあるＰＵＳＣＨとなるＰＵＳＣＨ２を選択して多重伝送をすることができる。チャネルステータスインジケータ（ＣＳＩ）報告メッセージについて、時間周波数リソース内で最も多くのリソース単位を占めるＰＵＳＣＨとなるＰＵＳＣＨ１を選択して多重伝送することができる。図６Ｂに示すように、ＰＵＳＣＨ２でＨＡＲＱおよびｄａｔａ２を多重伝送し、ＰＵＳＣＨ１でＣＳＩおよびｄａｔａ１を多重伝送する。
【００５１】
ステップＳ１０２において、選択されたＰＵＳＣＨを用いてＵＣＩと選択されたＰＵＳＣＨの伝送コンテンツを多重伝送する。
【００５２】
当該実施例では、選択されたＰＵＳＣＨを決定した後、選択されたＰＵＳＣＨでＵＣＩと選択されたＰＵＳＣＨの伝送コンテンツを多重伝送することができる。
【００５３】
上記の実施例では、１つの物理アップリンク制御チャネルＰＵＣＣＨと複数の物理アップリンク共有チャネルＰＵＳＣＨとは時間領域内にオーバーラップする部分がある場合に、選択基準に従って、ＰＵＣＣＨに搬送されているＵＣＩを多重伝送するＰＵＳＣＨを選択し、選択されたＰＵＳＣＨを用いてＵＣＩと選択されたＰＵＳＣＨの伝送コンテンツを多重伝送することにより、適切なＰＵＳＣＨを選択して多重伝送することが実現される。
【００５４】
図７は本開示の一例示的な実施例による情報受信方法のフローチャートであり、当該実施例が基地局から説明される。図７に示すように、当該方法は、ステップＳ７０１とステップＳ７０２を含む。
【００５５】
ステップＳ７０１において、複数のＰＵＳＣＨよる伝送を受信する。
【００５６】
ステップＳ７０２において、選択基準に従って、ＵＣＩを多重伝送するＰＵＳＣＨを決定する。
【００５７】
オプションとして、当該方法は、選択基準を決定し、選択基準をＵＥに送信すること、または、選択基準をＵＥと取り決めることを更に含んでもよい。
【００５８】
当該実施例では、選択基準を決定または取り決めた後、該選択基準に従ってＵＣＩを多重伝送するＰＵＳＣＨを決定することができる。
【００５９】
ステップＳ７０３において、決定されたＰＵＳＣＨからＵＣＩを受信する。
【００６０】
上記の実施例では、複数のＰＵＳＣＨによる伝送を受信し、選択基準に従って、ＵＣＩを多重伝送するＰＵＳＣＨを決定し、決定されたＰＵＳＣＨからＵＣＩを受信することにより、ＵＣＩの受信が実現される。
【００６１】
図８は本開示の一例示的な実施例による情報受信方法のシグナリングフローチャートであり、当該実施例が基地局とＵＥとのやり取りの面から説明される。図８に示すように、当該方法はステップＳ８０１〜ステップＳ８０７を含む。
【００６２】
ステップＳ８０１において、基地局が選択基準を決定し、選択基準をＵＥに送信する。
【００６３】
ステップＳ８０２において、ＵＥが選択基準を受信する。
【００６４】
ステップＳ８０３において、１つのＰＵＣＣＨと複数のＰＵＳＣＨとは時間領域内にオーバーラップする部分がある場合に、ＵＥが選択基準に従って、ＰＵＣＣＨに搬送されているＵＣＩを多重伝送するＰＵＳＣＨを選択する。
【００６５】
ステップＳ８０４において、ＵＥは選択されたＰＵＳＣＨを用いてＵＣＩと選択されたＰＵＳＣＨの伝送コンテンツを多重伝送する。
【００６６】
ステップＳ８０５において、基地局が複数のＰＵＳＣＨによる伝送を受信する。
【００６７】
ステップＳ８０６において、基地局は、決定された選択基準に従って、ＵＣＩを多重伝送するＰＵＳＣＨを決定する。
【００６８】
ステップＳ８０７において、基地局は、決定されたＰＵＳＣＨからＵＣＩを受信する。
【００６９】
上記の実施例では、基地局とＵＥとのやり取りで、ＵＥが適切なＰＵＳＣＨを選択して多重伝送をすることを可能にし、基地局がＵＣＩを多重伝送するＰＵＳＣＨを決定し、決定されたＰＵＳＣＨからＵＣＩを受信することを可能にする。
【００７０】
図９は一例示的な実施例による情報多重伝送装置のブロック図であり、当該装置がＵＥにある。図９に示すように、当該装置は、選択モジュール９１と伝送モジュール９２を備える。
【００７１】
選択モジュール９１は、１つの物理アップリンク制御チャネルＰＵＣＣＨと複数の物理アップリンク共有チャネルＰＵＳＣＨとは時間領域内にオーバーラップする部分がある場合に、選択基準に従って、ＰＵＣＣＨに搬送されているアップリンク制御情報ＵＣＩを多重伝送するＰＵＳＣＨを選択するように構成されている。
【００７２】
伝送モジュール９２は、選択モジュール９１が選択したＰＵＳＣＨを用いてＵＣＩと選択されたＰＵＳＣＨの伝送コンテンツを多重伝送するように構成されている。
【００７３】
この実施例では、選択されたＰＵＳＣＨを決定した後、選択されたＰＵＳＣＨを用いてＵＣＩと選択されたＰＵＳＣＨの伝送コンテンツを多重伝送することができる。
【００７４】
上記の実施例では、１つの物理アップリンク制御チャネルＰＵＣＣＨと複数の物理アップリンク共有チャネルＰＵＳＣＨとは時間領域内にオーバーラップする部分がある場合に、選択基準に従って、ＰＵＣＣＨに搬送されているＵＣＩを多重伝送するＰＵＳＣＨを選択し、選択されたＰＵＳＣＨを用いてＵＣＩと選択されたＰＵＳＣＨの伝送コンテンツを多重伝送することにより、適切なＰＵＳＣＨを選択して多重伝送することが実現される。
【００７５】
図１０は一例示的な実施例による別の情報多重伝送装置のブロック図であり、図１０に示すように、上記の図９に示した実施例において、選択モジュール９１は第１の選択サブモジュール９１１を備えても良い。
【００７６】
第１の選択サブモジュール９１１は、ＵＣＩを多重伝送するＰＵＳＣＨとして、時間領域の開始位置または終了位置が最も前にあるＰＵＳＣＨを用いるように構成されている。
【００７７】
例えば、図２Ａに示すように、図２ＡにおけるＰＵＣＣＨ１がＵＣＩ１を搬送し、ＰＵＣＣＨ２がＵＣＩ２を搬送し、ＰＵＳＣＨ１がデータ（ｄａｔａ）１を搬送し、ＰＵＳＣＨ２がデータ（ｄａｔａ）２を搬送していることを想定する。ＰＵＳＣＨ１はＰＵＳＣＨ２よりも時間領域の開始位置が前にあるので、ＰＵＳＣＨ１を、ＵＣＩを多重伝送するＰＵＳＣＨとして選択する。ＰＵＣＣＨ１とＰＵＣＣＨ２は、いずれもＰＵＳＣＨ１でＵＣＩを多重伝送し、図２Ｂに示すように、ＰＵＳＣＨ１でＵＣＩ１、ＵＣＩ２及びｄａｔａ１を多重伝送することができる。
【００７８】
上記の実施例では、時間領域の開始位置または終了位置が最も前にあるＰＵＳＣＨを、ＵＣＩを多重伝送するＰＵＳＣＨとして使用することにより、その後、選択されたＰＵＳＣＨを用いてＵＣＩを多重伝送するために条件を提供し、且つ実現方式は簡単である。
【００７９】
図１１は一例示的な実施例による別の情報多重伝送装置のブロック図であり、図１１に示すように、上記の図９に示した実施例において、選択モジュール９１は第２の選択サブモジュール９１２を備えても良い。
【００８０】
第２の選択サブモジュール９１２は、複数のＰＵＳＣＨのうちの１つがダウンリンク・ダイナミック・スケジューリングに基づいてアップリンク伝送を実施し、もう１つのＰＵＳＣＨがコンフィグレーションに基づいてアップリンク伝送を実施する場合、ＵＣＩを多重伝送するＰＵＳＣＨとして、ダウンリンク・ダイナミック・スケジューリングに基づいてアップリンク伝送を実施するＰＵＳＣＨを用いるように構成されている。
【００８１】
上記の実施例は、ＵＣＩを多重伝送するＰＵＳＣＨとして、ダウンリンク・ダイナミック・スケジューリングに基づいてアップリンク伝送を実施するＰＵＳＣＨを用いることにより、その後、選択されたＰＵＳＣＨを用いてＵＣＩを多重伝送するために条件を提供し、且つ実現方式は簡単である。
【００８２】
図１２は一例示的な実施例による別の情報多重伝送装置のブロック図であり、図１２に示すように、上記の図９に示す実施例において、選択モジュール９１は第３の選択サブモジュール９１３を備えても良い。
【００８３】
第３の選択サブモジュール９１３は、ＵＣＩを多重伝送するＰＵＳＣＨとして、ＰＵＣＣＨとオーバーラップする時間領域シンボルの数が最も多いＰＵＳＣＨを選択するように構成されている。
【００８４】
上記の実施例では、ＰＵＣＣＨとオーバーラップする時間領域シンボルの数が最も多いＰＵＳＣＨを、ＵＣＩを多重伝送するＰＵＳＣＨとして選択することにより、その後、選択されたＰＵＳＣＨを用いてＵＣＩを多重伝送するために条件を提供し、且つ実現方式は簡単である。
【００８５】
図１３は一例示的な実施例による別の情報多重伝送装置のブロック図であり、図１３に示すように、上記の図９に示す実施例において、選択モジュール９１は第４の選択サブモジュール９１４を備えても良い。
【００８６】
第４の選択サブモジュール９１４は、ＵＣＩを多重伝送するＰＵＳＣＨとして、時間周波数リソース内で最も多くのリソース単位を占めるＰＵＳＣＨを選択するように構成されている。
【００８７】
上記の実施例では、時間周波数リソース内で最も多くのリソース単位を占めるＰＵＳＣＨを、ＵＣＩを多重伝送するＰＵＳＣＨとして選択することにより、その後、選択されたＰＵＳＣＨを用いてＵＣＩを多重伝送するために条件を提供し、且つ実現方式は簡単である。
【００８８】
図１４は一例示的な実施例による別の情報多重伝送装置のブロック図であり、図１４に示すように、上記の図９に示す実施例において、選択モジュール９１は決定サブモジュール９１５と、第５の選択サブモジュール９１６を備えても良い。
【００８９】
決定サブモジュール９１５は、ＵＣＩのタイプと事前に保存されたＵＣＩのタイプと異なる選択基準との対応関係に基づいて、対応する選択基準を決定するように構成されている。
【００９０】
第５の選択サブモジュール９１６は、ＵＣＩを多重伝送するＰＵＳＣＨとして、決定サブモジュール９１５が決定した選択基準に従ってＰＵＳＣＨを選択するように構成されている。
【００９１】
上記の実施例では、決定された選択基準に従って、ＰＵＳＣＨを、ＵＣＩを多重伝送するＰＵＳＣＨとして選択することにより、その後、選択されたＰＵＳＣＨを用いてＵＣＩを多重伝送するために条件を提供し、且つ実現方式は柔軟である。
【００９２】
図１５は一例示的な実施例による別の情報多重伝送装置のブロック図であり、図１５に示すように、上記の図９に示す実施例において、該装置は受信モジュール９３または取り決めモジュール９４を更に備えても良い。
【００９３】
受信モジュール９３は、基地局から送信された選択基準またはＵＣＩのタイプと異なる選択基準との間の対応関係を受信するように構成されている。
【００９４】
取り決めモジュール９４は、選択基準、またはＵＣＩのタイプと異なる選択基準との間の対応関係を、基地局と取り決めるように構成されている。
【００９５】
上記の実施例では、選択基準を受信または取り決めることにより、その後、選択基準に従って、ＰＵＣＣＨに搬送されているＵＣＩを多重伝送するＰＵＳＣＨを選択するために条件を提供する。
【００９６】
図１６は一例示的な実施例による情報受信装置のブロック図であり、該装置が基地局にあっても良い。図１６に示すように、該装置は、
複数の物理アップリンク共有チャネルＰＵＳＣＨによる伝送を受信するように構成される第１の受信モジュール１６１と、
選択基準に従って、第１の受信モジュール１６１が受信した複数のＰＵＳＣＨから、アップリンク制御情報ＵＣＩを多重伝送するＰＵＳＣＨを決定するように構成される決定モジュール１６２と、
決定モジュール１６２が決定したＰＵＳＣＨからＵＣＩを受信するように構成される第２の受信モジュール１６３と、を備える。
【００９７】
上記の実施例では、複数のＰＵＳＣＨによる伝送を受信し、選択基準に従って、ＵＣＩを多重伝送するＰＵＳＣＨを決定し、決定されたＰＵＳＣＨからＵＣＩを受信することにより、ＵＣＩの受信が実現される。
【００９８】
図１７は一例示的な実施例による別の情報受信装置のブロック図であり、図１７に示すように、上記の図１６に示した実施例において、該装置は第１の決定送信モジュール１６４、第２の決定送信モジュール１６５、または取り決めモジュール１６６を更に備えても良い。
【００９９】
第１の決定送信モジュール１６４は、選択基準を決定し、選択基準をユーザ設備ＵＥに送信するように構成されている。
【０１００】
第２の決定送信モジュール１６５は、ＵＣＩのタイプと異なる選択基準との対応関係を決定し、ＵＣＩのタイプと異なる選択基準との対応関係をユーザ設備ＵＥに送信するように構成されている。
【０１０１】
取り決めモジュール１６６は、選択基準、またはＵＣＩのタイプと異なる選択基準との対応関係をＵＥと取り決めるように構成されている。
【０１０２】
上記の実施例では、選択基準を決定し、選択基準をＵＥに送信するか、または選択基準をＵＥと取り決めることにより、ＵＥは選択基準に従ってＰＵＣＣＨに搬送されているＵＣＩを多重伝送するＰＵＳＣＨを選択することを可能にする。
【０１０３】
図１８は一例示的な実施例による情報多重伝送装置に適用するブロック図である。例えば、装置１８００は、携帯電話、コンピュータ、デジタル放送端末、メッセージ送受信デバイス、ゲームコンソール、タブレット機器、医療機器、フィットネスデバイス、パーソナルデジタルアシスタントなどのユーザ設備であってもよい。
【０１０４】
図１８を参照すると、装置１８００は、処理ユニット１８０２、メモリ１８０４、電源ユニット１８０６、マルチメディアユニット１８０８、オーディオユニット１８１０、入力/出力（Ｉ/Ｏ）インタフェース１８１２、センサユニット１８１４および通信ユニット１３１６のうちの1つまたは複数のユニットを含むことができる。
【０１０５】
処理ユニット１８０２は、通常、表示、電話呼び出し、データ通信、カメラ操作および記録操作に関連する操作のような端末１８００の全体操作を制御する。処理ユニット１８０２は、上記方法の全部または一部のステップを完成するために、命令を実行する１つまたは複数のプロセッサ１８２０を備えることができる。また、処理ユニット１８０２は、その他のユニットとのやり取りを容易にするために、１つまたは複数のモジュールを含むことができる。例えば、処理ユニット１８０２は、マルチメディアユニット１８０８とのやり取りを容易にするために、マルチメディアモジュールを含むことができる。
【０１０６】
処理ユニット１８０２のうちの1つは、
１つの物理アップリンク制御チャネルＰＵＣＣＨと複数の物理アップリンク共有チャネルＰＵＳＣＨとは時間領域内にオーバーラップする部分がある場合に、選択基準に従って、ＰＵＣＣＨに搬送されているアップリンク制御情報ＵＣＩを多重伝送するＰＵＳＣＨを選択し、
選択されたＰＵＳＣＨを用いてＵＣＩと選択されたＰＵＳＣＨの伝送コンテンツを多重伝送する、ように構成されることができる。
【０１０７】
メモリ１８０４は、装置１８００による動作を支援するための様々なデータを格納するように構成されている。これらのデータの例としては、装置１８００で動作する任意のアプリケーションまたは方法のための指示、連絡先データ、電話帳データ、メッセージ、写真、ビデオなどを含む。メモリ１８０４は、スタティック・ランダム・アクセス・メモリ（ＳＲＡＭ）、電気的に消去可能なプログラマブル・リードオンリー・メモリ（ＥＥＰＲＯＭ）、消去可能なプログラマブル・リードオンリー・メモリ（ＥＰＲＯＭ）、プログラマブル・リードオンリー・メモリ（ＰＲＯＭ）、リードオンリー・メモリ（ＲＯＭ）、磁気メモリ、フラッシュ・メモリ、ディスクまたはＣＤ−ＲＯＭなど、任意のタイプの揮発性または不揮発性の記憶デバイスまたはそれらの組み合わせによって実現されてもよい。
【０１０８】
電源ユニット１８０６は、装置１８００の様々な構成要素に電力を供給する。電源ユニット１８０６は、電源管理システム、１つ以上の電源、および装置１８００のための電力の生成、管理および分配に関連する他のユニットを含ることができる。
【０１０９】
マルチメディアユニット１８０８は、装置１８００とユーザとの間に出力インタフェースを提供する画面を含む。一部の実施例では、画面は、液晶ディスプレイ（ＬＣＤ）およびタッチパネル（ＴＰ）を含むことができる。画面がタッチパネルを含む場合、その画面は、ユーザからの入力信号を受信するために、タッチパネルとして実現されることができる。タッチパネルは、タッチ、スライドおよびタッチパネル上のジェスチャーをセンシングするために1つまたは複数のタッチセンサを含む。タッチセンサは、タッチやスライドの境界をセンシングするだけでなく、タッチやスライドに関連する継続時間および圧力を検出することができる。一部の実施例では、マルチメディアユニット１８０８は、フロントカメラおよび/またはリアカメラを含む。端末１８００が撮影モードやビデオモードのような操作モードにある場合、フロントカメラと/またはリアカメラは、外部のマルチメディアデータを受信することができる。フロントカメラとリアカメラの各々は、固定された光学レンズシステムであってよく、または焦点距離および光学ズーム機能を備えても良い。
【０１１０】
オーディオユニット１８１０は、オーディオ信号を出力および/または入力するように構成される。例えば、オーディオユニット１８１０はマイクロフォン（ＭＩＣ）を含み、端末１８００が呼び出しモード、記録モードおよび音声認識モードのような操作モードにある場合、マイクロフォンは外部のオーディオ信号を受信するように構成される。受信されたオーディオ信号はさらにメモリ１８０４に記憶され、または通信ユニット１８１６経由で送信されることができる。一部の実施例では、オーディオユニット１８１０は、さらにオーディオ信号を出力する構成されるスピーカーを含む。
【０１１１】
Ｉ／Ｏインターフェース１８１２は、処理ユニット１８０２と周辺インタフェースモジュールとの間にインタフェースを提供し、上記の周辺インタフェースモジュールがキーボード、クイックホイール、ボタンなどであってよい。これらのボタンはホームページボタン、ボリュームボタン、起動ボタンおよびロックボタンを含むことができるが、それらに限定されない。
【０１１２】
センサユニット１８１４は、端末１８００に各方面の状態評価を提供するように構成される1つまたは複数のセンサを含む。例えば、センサユニット１８１４は、端末１８００のオン/オフ状態、ユニットの相対的な位置決め、例えばユニットが装置１８００のディスプレイおよびキーパッドであることを検出でき、センサユニット１８１４はさらに装置１８００または装置１８００の一つのユニットの位置変化、ユーザとの装置１８００との接触が存在するかどうか、装置１８００の方位または加速/減速および装置１８００の温度変化を検出することも可能である。センサユニット１８１４は、いかなる物理的接触がない時に近くの物体が存在しているかどうかを検出するように構成される近接センサを含むことができる。該センサユニット１８１４はさらにイメージングアプリケーションに使用されるように構成されるＣＭＯＳやＣＣＤイメージセンサのような光センサを含むことができる。一部の実施例では、該センサユニット１８１４はさらに加速度センサ、ジャイロセンサ、磁気センサ、圧力センサまたは温度センサを含むことができる。
【０１１３】
通信ユニット１８１６は、装置１８００と他のデバイスとの有線または無線通信を容易にするように構成される。装置１８００は、通信規格に基づく無線ネットワーク、例えばＷｉＦｉ、２Ｇまたは３Ｇ、またはそれらの組み合わせにアクセスすることができる。一つの例示的な実施例では、通信ユニット１８１６は、放送チャネルを介して外部の放送管理システムからの放送信号または放送関連情報を受信する。一つの例示的な実施例では、通信ユニット１８１６は、さらに、近距離通信を促進するために近距離通信（ＮＦＣ）モジュールを含む。例えば、ＮＦＣモジュールは、無線周波数識別（ＲＦＩＤ）技術、赤外線データ協会（ＩｒＤＡ）技術、超広帯域（ＵＷＢ）技術、ブルートゥース(登録商標)（ＢＴ）技術およびその他の技術に基づいて実現されることができる。
【０１１４】
一つの例示的な実施例では、装置１８００は、1つまたは複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ、またはその他の電子コンポーネントによって実現されることができ、上記方法を実行するように構成される。
【０１１５】
例示的な実施例では、命令を含むメモリ１８０４のような非一時的なコンピュータ読み取り可能な記憶媒体を提供する。上記の命令は装置１８００のプロセッサ１８２０によって実行されて上記方法を完成させることができる。例えば、非一時的なコンピュータ読み取り可能な記憶媒体は、ＲＯＭ、ランダムアクセスメモリ（ＲＡＭ）、ＣＤ-ＲＯＭ、テープ、フロッピー(登録商標)ディスクおよび光データ記憶装置などであってよい。
【０１１６】
図１９は一例示的な実施例による情報受信装置に適用するブロック図である。装置１９００は、基地局として提供されることができる。図１９を参照すると、装置１９００は、処理ユニット１９２２、無線送受信ユニット１９２４、アンテナユニット１９２６、および無線インターフェースに固有の信号処理部分を含み、処理ユニット１９２２は、１つ以上のプロセッサをさらに含むことができる。
【０１１７】
処理ユニット１９２２内のプロセッサの１つは、
複数の物理アップリンク共有チャネルＰＵＳＣＨによる伝送を受信し、
選択基準に従って、アップリンク制御情報ＵＣＩを多重伝送するＰＵＳＣＨを決定し、
決定されたＰＵＳＣＨからＵＣＩを受信するように構成される、ことができる。
【０１１８】
例示的な一実施例では、命令を含む非一時的なコンピュータ読み取り可能な記憶媒体を提供する。上記の命令は装置１９００の処理ユニット１９２２によって実行されて上記の情報受信方法を完成させることができる。例えば、非一時的なコンピュータ読み取り可能な記憶媒体は、ＲＯＭ、ランダムアクセスメモリ（ＲＡＭ）、ＣＤ-ＲＯＭ、テープ、フロッピー(登録商標)ディスクおよび光データ記憶装置などであってよい。
【０１１９】
装置に係る実施例は、本質的に方法に係る実施例に対応するものであるので、関連する部分は方法に係る実施例についての説明を参照すればよい。以上に説明した装置に係る実施例は、単に例示的なものであり、別個の部品として説明したユニットは、物理的に分離したものであってもよいし、そうでなくてもよく、ユニットとして示した部品は、物理的なユニットであってもよいし、そうでなくてもよい、すなわち、１つの場所に配置されてもよいし、複数のネットワークユニットに分散されてもよい。実際のニーズに応じて、モジュールの一部または全部を選択して本実施例の目的を達成することができる。装置に係る実施例は、当業者が創造的な努力をしなくても理解し且つ実施可能なものである。
【０１２０】
なお、本明細書では、「第１」、「第２」などの関係用語は、一つのエンティティまたは操作を別のエンティティまたは操作と区別するためのものだけであり、必ずしもこれらのエンティティまたは操作の間にいかなるこのような実際の関係または順序があることを要求するまたは暗示するわけではない。また、用語「備える」、「含む」またはその変体が非排他的な包含をカバーすることを意図し、これにより、一連の要素を含むプロセス、方法、物品またはデバイスは、それらの要素を含むだけではなく、明示されていないその他の要素、または上記のプロセス、方法、物品またはデバイスが本来有している要素を含むということになる。特により多くの制限がない場合で、「……を含む」という文によって限定される要素は、要素を含むプロセス、方法、物品またはデバイスの中に別の同じ要素が存在している可能性もある。
【０１２１】
本分野の当業者は、明細書を考慮してここで開示された発明を実践した後、本発明の他の実施形態を考える可能性が高い。本願発明は、本開示の任意の変形、用途または適応的変化をカバーすることを意図しており、これらの変形、用途または適応的変化が本開示の一般的な原理に従い且つ本開示に開示されていない本技術分野における周知常識または慣用の技術手段を含むものとする。明細書および実施例は、例示的なものと見なされるだけであり、本発明の真の範囲および精神は、下記の特許請求の範囲によって示される。
【０１２２】
本開示は、以上に説明され且つ図面に示された精確な構造に限定されるものではなく、またその範囲を逸脱しなくて様々な修正および変更を行うことができると理解すべきである。本開示の範囲は、添付の特許請求の範囲によって限定されるものとする。
【図１】
2021523630.tif 000003
【図２Ａ】
2021523630.tif 000004
【図２Ｂ】
2021523630.tif 000005
【図３Ａ】
2021523630.tif 000006
【図３Ｂ】
2021523630.tif 000007
【図４Ａ】
2021523630.tif 000008
【図４Ｂ】
2021523630.tif 000009
【図５Ａ】
2021523630.tif 000010
【図５Ｂ】
2021523630.tif 000011
【図６Ａ】
2021523630.tif 000012
【図６Ｂ】
2021523630.tif 000013
【図７】
2021523630.tif 000014
【図８】
2021523630.tif 000015
【図９】
2021523630.tif 000016
【図１０】
2021523630.tif 000017
【図１１】
2021523630.tif 000018
【図１２】
2021523630.tif 000019
【図１３】
2021523630.tif 000020
【図１４】
2021523630.tif 000021
【図１５】
2021523630.tif 000022
【図１６】
2021523630.tif 000023
【図１７】
2021523630.tif 000024
【図１８】
2021523630.tif 000025
【図１９】
2021523630.tif 000026
【手続補正書】
【提出日】令和2年11月9日(2020.11.9)
【手続補正１】
【補正対象書類名】特許請求の範囲
【補正対象項目名】全文
【補正方法】変更
【補正の内容】
【特許請求の範囲】
【請求項１】
ユーザ設備（ＵＥ）に適用される情報多重伝送方法であって、
１つの物理アップリンク制御チャネル（ＰＵＣＣＨ）と複数の物理アップリンク共有チャネル（ＰＵＳＣＨ）とは時間領域内にオーバーラップする部分がある場合に、選択基準に従って、前記ＰＵＣＣＨに搬送されているアップリンク制御情報（ＵＣＩ）を多重伝送するＰＵＳＣＨを選択することと、
選択されたＰＵＳＣＨを用いて前記ＵＣＩと選択されたＰＵＳＣＨの伝送コンテンツを多重伝送することと、
を含むことを特徴とする情報多重伝送方法。
【請求項２】
前記選択基準に従って、前記ＰＵＣＣＨに搬送されているアップリンク制御情報（ＵＣＩ）を多重伝送するＰＵＳＣＨを選択することは、
前記ＵＣＩを多重伝送するＰＵＳＣＨとして、時間領域の開始位置または終了位置が最も前にあるＰＵＳＣＨを用いることを含む、
ことを特徴とする請求項１に記載の方法。
【請求項３】
前記選択基準に従って、前記ＰＵＣＣＨに搬送されているアップリンク制御情報（ＵＣＩ）を多重伝送するＰＵＳＣＨを選択することは、
前記複数のＰＵＳＣＨのうちの１つがダウンリンク・ダイナミック・スケジューリングに基づいてアップリンク伝送を実施し、もう１つのＰＵＳＣＨがコンフィグレーションに基づいてアップリンク伝送を実施する場合、前記ＵＣＩを多重伝送するＰＵＳＣＨとして、ダウンリンク・ダイナミック・スケジューリングに基づいてアップリンク伝送を実施するＰＵＳＣＨを用いることを含む、
ことを特徴とする、請求項１に記載の方法。
【請求項４】
前記選択基準に従って、前記ＰＵＣＣＨに搬送されているアップリンク制御情報（ＵＣＩ）を多重伝送するＰＵＳＣＨを選択することは、
前記ＵＣＩを多重伝送するＰＵＳＣＨとして、前記ＰＵＣＣＨとオーバーラップする時間領域シンボルの数が最も多いＰＵＳＣＨを選択することを含む、
ことを特徴とする請求項１に記載の方法。
【請求項５】
前記選択基準に従って、前記ＰＵＣＣＨに搬送されているアップリンク制御情報（ＵＣＩ）を多重伝送するＰＵＳＣＨを選択することは、
前記ＵＣＩを多重伝送するＰＵＳＣＨとして、時間周波数リソース内で最も多くのリソース単位を占めるＰＵＳＣＨを選択することを含む、
ことを特徴とする請求項１に記載の方法。
【請求項６】
前記選択基準に従って、前記ＰＵＣＣＨに搬送されているアップリンク制御情報（ＵＣＩ）を多重伝送するＰＵＳＣＨを選択することは、
前記ＵＣＩのタイプと事前に保存されたＵＣＩのタイプと異なる選択基準との対応関係に基づいて、対応する選択基準を決定することと、
前記ＵＣＩを多重伝送するＰＵＳＣＨとして、決定された選択基準に従ってＰＵＳＣＨを選択することと、を含む
ことを特徴とする、請求項１に記載の方法。
【請求項７】
基地局から送信された前記選択基準または前記ＵＣＩのタイプと異なる選択基準との間の対応関係を受信すること、または、
前記選択基準、または前記ＵＣＩのタイプと前記異なる選択基準との間の対応関係を、前記基地局と取り決めること、を更に含む
ことを特徴とする、請求項１〜６のいずれか１項に記載の方法。
【請求項８】
基地局に適用される情報受信方法であって、
複数の物理アップリンク共有チャネル（ＰＵＳＣＨ）による伝送を受信することと、
選択基準に従って、アップリンク制御情報（ＵＣＩ）を多重伝送するＰＵＳＣＨを決定することと、
決定されたＰＵＳＣＨから前記ＵＣＩを受信することと、
を含むことを特徴とする情報受信方法。
【請求項９】
前記方法は、
選択基準を決定し、前記選択基準をユーザ設備（ＵＥ）に送信すること、または、
ＵＣＩのタイプと異なる選択基準との対応関係を決定し、ＵＣＩのタイプと異なる選択基準との対応関係をユーザ設備（ＵＥ）に送信すること、または、
前記選択基準、または前記ＵＣＩのタイプと異なる選択基準との対応関係をＵＥと取り決めること、を更に含む
ことを特徴とする請求項８に記載の方法。
【請求項１０】
プロセッサと、
プロセッサ実行可能な命令を格納するメモリとを備え、
前記プロセッサは、
１つの物理アップリンク制御チャネル（ＰＵＣＣＨ）と複数の物理アップリンク共有チャネル（ＰＵＳＣＨ）とは時間領域内にオーバーラップする部分がある場合に、選択基準に従って、前記ＰＵＣＣＨに搬送されているアップリンク制御情報（ＵＣＩ）を多重伝送するＰＵＳＣＨを選択し、
選択されたＰＵＳＣＨを用いて前記ＵＣＩと選択されたＰＵＳＣＨの伝送コンテンツを多重伝送するように構成される
ことを特徴とするユーザ設備。
【請求項１１】
プロセッサと、
プロセッサ実行可能な命令を格納するメモリとを備え、
前記プロセッサは、
複数の物理アップリンク共有チャネル（ＰＵＳＣＨ）による伝送を受信し、
選択基準に従って、アップリンク制御情報（ＵＣＩ）を多重伝送するＰＵＳＣＨを決定し、
決定されたＰＵＳＣＨから前記ＵＣＩを受信するように構成される
ことを特徴とする基地局。
【手続補正２】
【補正対象書類名】明細書
【補正対象項目名】００２９
【補正方法】変更
【補正の内容】
【００２９】
本開示実施例の第８の方面によれば、コンピュータ読み取り可能な記憶媒体を提供し、コンピュータ命令が格納されているコンピュータ読み取り可能な記憶媒体であって、前記命令がプロセッサにより実行される際に、上記の情報受信方法のステップを実現させる。
例えば、本願は以下の項目を提供する。
（項目１）
ユーザ設備（ＵＥ）に適用される情報多重伝送方法であって、
１つの物理アップリンク制御チャネル（ＰＵＣＣＨ）と複数の物理アップリンク共有チャネル（ＰＵＳＣＨ）とは時間領域内にオーバーラップする部分がある場合に、選択基準に従って、前記ＰＵＣＣＨに搬送されているアップリンク制御情報（ＵＣＩ）を多重伝送するＰＵＳＣＨを選択することと、
選択されたＰＵＳＣＨを用いて前記ＵＣＩと選択されたＰＵＳＣＨの伝送コンテンツを多重伝送することと、
を含むことを特徴とする情報多重伝送方法。
（項目２）
前記選択基準に従って、前記ＰＵＣＣＨに搬送されているアップリンク制御情報（ＵＣＩ）を多重伝送するＰＵＳＣＨを選択することは、
前記ＵＣＩを多重伝送するＰＵＳＣＨとして、時間領域の開始位置または終了位置が最も前にあるＰＵＳＣＨを用いることを含む、
ことを特徴とする項目１に記載の方法。
（項目３）
前記選択基準に従って、前記ＰＵＣＣＨに搬送されているアップリンク制御情報（ＵＣＩ）を多重伝送するＰＵＳＣＨを選択することは、
前記複数のＰＵＳＣＨのうちの１つがダウンリンク・ダイナミック・スケジューリングに基づいてアップリンク伝送を実施し、もう１つのＰＵＳＣＨがコンフィグレーションに基づいてアップリンク伝送を実施する場合、前記ＵＣＩを多重伝送するＰＵＳＣＨとして、ダウンリンク・ダイナミック・スケジューリングに基づいてアップリンク伝送を実施するＰＵＳＣＨを用いることを含む、
ことを特徴とする、項目１に記載の方法。
（項目４）
前記選択基準に従って、前記ＰＵＣＣＨに搬送されているアップリンク制御情報（ＵＣＩ）を多重伝送するＰＵＳＣＨを選択することは、
前記ＵＣＩを多重伝送するＰＵＳＣＨとして、前記ＰＵＣＣＨとオーバーラップする時間領域シンボルの数が最も多いＰＵＳＣＨを選択することを含む、
ことを特徴とする項目１に記載の方法。
（項目５）
前記選択基準に従って、前記ＰＵＣＣＨに搬送されているアップリンク制御情報（ＵＣＩ）を多重伝送するＰＵＳＣＨを選択することは、
前記ＵＣＩを多重伝送するＰＵＳＣＨとして、時間周波数リソース内で最も多くのリソース単位を占めるＰＵＳＣＨを選択することを含む、
ことを特徴とする項目１に記載の方法。
（項目６）
前記選択基準に従って、前記ＰＵＣＣＨに搬送されているアップリンク制御情報（ＵＣＩ）を多重伝送するＰＵＳＣＨを選択することは、
前記ＵＣＩのタイプと事前に保存されたＵＣＩのタイプと異なる選択基準との対応関係に基づいて、対応する選択基準を決定することと、
前記ＵＣＩを多重伝送するＰＵＳＣＨとして、決定された選択基準に従ってＰＵＳＣＨを選択することと、を含む
ことを特徴とする、項目１に記載の方法。
（項目７）
基地局から送信された前記選択基準または前記ＵＣＩのタイプと異なる選択基準との間の対応関係を受信すること、または、
前記選択基準、または前記ＵＣＩのタイプと前記異なる選択基準との間の対応関係を、前記基地局と取り決めること、を更に含む
ことを特徴とする、項目１〜６のいずれか１項に記載の方法。
（項目８）
基地局に適用される情報受信方法であって、
複数の物理アップリンク共有チャネル（ＰＵＳＣＨ）による伝送を受信することと、
選択基準に従って、アップリンク制御情報（ＵＣＩ）を多重伝送するＰＵＳＣＨを決定することと、
決定されたＰＵＳＣＨから前記ＵＣＩを受信することと、
を含むことを特徴とする情報受信方法。
（項目９）
前記方法は、
選択基準を決定し、前記選択基準をユーザ設備（ＵＥ）に送信すること、または、
ＵＣＩのタイプと異なる選択基準との対応関係を決定し、ＵＣＩのタイプと異なる選択基準との対応関係をユーザ設備（ＵＥ）に送信すること、または、
前記選択基準、または前記ＵＣＩのタイプと異なる選択基準との対応関係をＵＥと取り決めること、を更に含む
ことを特徴とする項目８に記載の方法。
（項目１０）
ユーザ設備（ＵＥ）に適用される情報多重伝送装置であって、
１つの物理アップリンク制御チャネル（ＰＵＣＣＨ）と複数の物理アップリンク共有チャネル（ＰＵＳＣＨ）とは時間領域内にオーバーラップする部分がある場合に、選択基準に従って、前記ＰＵＣＣＨに搬送されているアップリンク制御情報（ＵＣＩ）を多重伝送するＰＵＳＣＨを選択するように構成される選択モジュールと、
前記選択モジュールが選択したＰＵＳＣＨを用いて前記ＵＣＩと選択されたＰＵＳＣＨの伝送コンテンツを多重伝送するように構成される伝送モジュールと、
を備えることを特徴とする情報多重伝送装置。
（項目１１）
前記選択モジュールは、
前記ＵＣＩを多重伝送するＰＵＳＣＨとして、時間領域の開始位置または終了位置が最も前にあるＰＵＳＣＨを用いるように構成される第１の選択サブモジュールを備える
ことを特徴とする項目１０に記載の装置。
（項目１２）
前記選択モジュールは、
前記複数のＰＵＳＣＨのうちの１つがダウンリンク・ダイナミック・スケジューリングに基づいてアップリンク伝送を実施し、もう１つのＰＵＳＣＨがコンフィグレーションに基づいてアップリンク伝送を実施する場合、前記ＵＣＩを多重伝送するＰＵＳＣＨとして、ダウンリンク・ダイナミック・スケジューリングに基づいてアップリンク伝送を実施するＰＵＳＣＨを用いるように構成される第２の選択サブモジュールを備える
ことを特徴とする項目１０に記載の装置。
（項目１３）
前記選択モジュールは、
前記ＵＣＩを多重伝送するＰＵＳＣＨとして、前記ＰＵＣＣＨとオーバーラップする時間領域シンボルの数が最も多いＰＵＳＣＨを選択するように構成される第３の選択サブモジュールを備える
ことを特徴とする、項目１０に記載の装置。
（項目１４）
前記選択モジュールは、
前記ＵＣＩを多重伝送するＰＵＳＣＨとして、時間周波数リソース内で最も多くのリソース単位を占めるＰＵＳＣＨを選択するように構成される第４の選択サブモジュールを備える
ことを特徴とする項目１０に記載の装置。
（項目１５）
前記選択モジュールは、
前記ＵＣＩのタイプと事前に保存されたＵＣＩのタイプと異なる選択基準との対応関係に基づいて、対応する選択基準を決定するように構成される決定サブモジュールと、
前記ＵＣＩを多重伝送するＰＵＳＣＨとして、前記決定サブモジュールが決定した選択基準に従ってＰＵＳＣＨを選択するように構成された第５の選択サブモジュールと、を備える
ことを特徴とする、項目１０に記載の装置。
（項目１６）
前記装置は、
基地局から送信された前記選択基準または前記ＵＣＩのタイプと異なる選択基準との間の対応関係を受信するように構成される受信モジュール、または、
前記選択基準、または前記ＵＣＩのタイプと異なる選択基準との間の対応関係を、前記基地局と取り決めるように構成される取り決めモジュール、を更に備える
ことを特徴とする項目１０〜１５のいずれか１項に記載の装置。
（項目１７）
基地局に適用される情報受信装置であって、
複数の物理アップリンク共有チャネル（ＰＵＳＣＨ）による伝送を受信するように構成される第１の受信モジュールと、
選択基準に従って、前記第１の受信モジュールが受信した複数のＰＵＳＣＨから、アップリンク制御情報（ＵＣＩ）を多重伝送するＰＵＳＣＨを決定するように構成される決定モジュールと、
前記決定モジュールが決定したＰＵＳＣＨから前記ＵＣＩを受信するように構成される第２の受信モジュールと、を備える
ことを特徴とする情報受信装置。
（項目１８）
前記装置は、
選択基準を決定し、前記選択基準をユーザ設備（ＵＥ）に送信するように構成される第１の決定送信モジュール、または、
ＵＣＩのタイプと異なる選択基準との対応関係を決定し、ＵＣＩのタイプと異なる選択基準との対応関係をユーザ設備（ＵＥ）に送信するように構成される第２の決定送信モジュール、または、
前記選択基準、または前記ＵＣＩのタイプと異なる選択基準との対応関係をＵＥと取り決めるように構成される取り決めモジュール、を更に備える
ことを特徴とする、項目１７に記載の装置。
（項目１９）
プロセッサと、
プロセッサ実行可能な命令を格納するメモリとを備え、
前記プロセッサは、
１つの物理アップリンク制御チャネル（ＰＵＣＣＨ）と複数の物理アップリンク共有チャネル（ＰＵＳＣＨ）とは時間領域内にオーバーラップする部分がある場合に、選択基準に従って、前記ＰＵＣＣＨに搬送されているアップリンク制御情報（ＵＣＩ）を多重伝送するＰＵＳＣＨを選択し、
選択されたＰＵＳＣＨを用いて前記ＵＣＩと選択されたＰＵＳＣＨの伝送コンテンツを多重伝送するように構成される
ことを特徴とするユーザ設備。
（項目２０）
プロセッサと、
プロセッサ実行可能な命令を格納するメモリとを備え、
前記プロセッサは、
複数の物理アップリンク共有チャネル（ＰＵＳＣＨ）による伝送を受信し、
選択基準に従って、アップリンク制御情報（ＵＣＩ）を多重伝送するＰＵＳＣＨを決定し、
決定されたＰＵＳＣＨから前記ＵＣＩを受信するように構成される
ことを特徴とする基地局。
（項目２１）
コンピュータ命令が格納されているコンピュータ読み取り可能な記憶媒体であって、
前記命令がプロセッサにより実行される際に、項目１〜７のいずれか１項に記載の情報多重伝送方法のステップを実現させる
ことを特徴とするコンピュータ読み取り可能な記憶媒体。
（項目２２）
コンピュータ命令が格納されているコンピュータ読み取り可能な記憶媒体であって、
前記命令がプロセッサにより実行される際に、項目８または項目９に記載の情報受信方法のステップを実現させる
ことを特徴とするコンピュータ読み取り可能な記憶媒体。
【国際調査報告】
2021523630.tif 000027
2021523630.tif 000028
2021523630.tif 000029
2021523630.tif 000030
2021523630.tif 000031
2021523630.tif 000032